【手続補正書】
【提出日】平成27年4月9日(2015.4.9)
【手続補正１】
【補正対象書類名】特許請求の範囲
【補正対象項目名】全文
【補正方法】変更
【補正の内容】
【特許請求の範囲】
【請求項１】
筐体と、
前記筐体に設けられ、当該筐体の少なくとも一部を覆う閉じ位置とその閉じ位置から離れる開き位置との間で回動可能な回動部材と、
前記筐体に対して開閉可能に回動し、前記回動部材を開き位置に向けて回動させた際にその回動部材の回動によって開き位置に向かって押し込まれるトレイ部材と、
前記回動部材を閉じ位置に向けて回動させると当該回動部材による押し込みの開放により前記トレイ部材を閉じ位置へと復帰させる復帰部材と、
を具備することを特徴とする記録装置。
【請求項２】
請求項１に記載の記録装置であって、
前記復帰部材は、
付勢手段を具備し、
前記回動部材を前記開き位置に位置させた場合には、前記トレイ部材が前記開き位置と前記閉じ位置の間の中間位置に位置する状態で、前記付勢手段により当該トレイ部材に対して前記閉じ位置へと戻す付勢力を与え、
前記トレイ部材は、前記復帰部材による付勢力に抗して前記トレイ部材を前記中間位置から前記開き位置に位置させた場合には、前記回動部材による前記トレイ部材への押し込みが解除された状態で前記トレイ部材が前記開き位置に位置するのを維持する、
ことを特徴とする記録装置。
【請求項３】
請求項２記載の記録装置であって、
前記トレイ部材は、
前記トレイ部材から挿入される媒体を載置可能に構成され、
前記トレイ部材における、前記トレイ部材から挿入される媒体の挿入方向下流側端部と上流側端部の間に位置する回動軸を介して回動自在に設けられ、
前記トレイ部材における搬送方向下流側端部に位置し、前記復帰手段と当接する当接部を有し、
前記復帰部材は前記付勢手段による付勢力を前記当接部に与え、
前記トレイ部材が前記中間位置から前記開き位置に向かって回動する際に、前記当接部
が前記付勢手段から外れ、前記トレイ部材には前記付勢手段による付勢力が与えられずに当該トレイ部材が前記開き位置に位置するのを維持する、
ことを特徴とする記録装置。
【請求項４】
請求項１記載の記録装置であって、
前記回動部材は、前記筐体に対して開閉可能に設けられるスキャナーユニットであると共に、
前記トレイ部材は、複数の記録媒体を載置可能であると共に単数の記録媒体のみを搬送するための分離機構へと当該記録媒体を導く給紙トレイとは別に設けられると共に前記記録媒体を使用の都度載置させるための手差しトレイである、
ことを特徴とする記録装置。
【請求項５】
請求項１記載の記録装置であって、
前記回動部材は、前記筐体に対して開閉可能に設けられると共に前記閉じ位置では当該筐体の上方側を覆うカバー部材であると共に、
前記トレイ部材は、複数の記録媒体を載置可能であると共に単数の記録媒体のみを搬送するための分離機構へと当該記録媒体を導く給紙トレイとは別に設けられると共に前記記録媒体を使用の都度載置させるための手差しトレイである、
ことを特徴とする記録装置。
【請求項６】
請求項１記載の記録装置であって、
前記回動部材は、記録媒体をイメージセンサーによる読み取り位置に搬送させる自動送り機構部であると共に、
前記トレイ部材は、複数の前記記録媒体を載置可能であると共に単数の前記記録媒体のみを搬送するための分離機構へと当該記録媒体を導く給紙トレイとは別に設けられると共に前記記録媒体を使用の都度載置させるための手差しトレイである、
ことを特徴とする記録装置。
【手続補正２】
【補正対象書類名】明細書
【補正対象項目名】０００６
【補正方法】変更
【補正の内容】
【０００６】
上記課題を解決するために、本発明の記録装置は、筐体と、筐体に設けられ、当該筐体の少なくとも一部を覆う閉じ位置とその閉じ位置から離れる開き位置との間で回動可能な回動部材と、筐体に対して開閉可能に回動し、回動部材を開き位置に向けて回動させた際にその回動部材の回動によって開き位置に向かって押し込まれるトレイ部材と、回動部材を閉じ位置に向けて回動させると当該回動部材による押し込みの開放によりトレイ部材を閉じ位置へと復帰させる復帰部材と、を具備するものである。
【手続補正３】
【補正対象書類名】明細書
【補正対象項目名】０００７
【補正方法】変更
【補正の内容】
【０００７】
このように構成する場合には、回動部材を閉じ位置から開き位置に向けて開動させると、回動部材の開き位置では、当該回動部材がトレイ部材を開き位置に向けて押し込む状態となる。しかしながら、回動部材を開き位置から閉じ位置へと向けて回動させると、トレイ部材は復帰部材によって閉じ位置へと戻される。それにより、回動部材が開き位置へ位置した際にトレイ部材を開き位置に位置させたままとするのを防止可能となる。そのため、トレイ部材が意図せぬ開き状態のままとするのを防止可能となる。
【手続補正４】
【補正対象書類名】明細書
【補正対象項目名】０００９
【補正方法】変更
【補正の内容】
【０００９】
このように構成する場合には、スキャナーユニットを開き位置まで回動させ、その後スキャナーユニットを閉じ位置まで回動させた場合に、手差しトレイは復帰部材によって閉じ位置へと自動的に戻される。それにより、手差しトレイが開いた状態のままとするのを防ぐことが可能となる。特に、手差しトレイはスキャナーユニットよりも奥側に位置する場合が多く、そのような状態では手差しトレイが開いていても気付き難い場合が多い。しかしながら、手差しトレイが復帰部材によって自動的に閉じ位置まで戻されるため、手差しトレイが開いたままの状態とするのを防止可能となる。
【手続補正５】
【補正対象書類名】明細書
【補正対象項目名】００１１
【補正方法】変更
【補正の内容】
【００１１】
このように構成する場合には、カバー部材を開き位置まで回動させ、その後カバー部材を閉じ位置まで回動させた場合に、手差しトレイは復帰部材によって閉じ位置へと自動的に戻される。それにより、手差しトレイが開いた状態のままとするのを防ぐことが可能となる。この場合においても、手差しトレイはカバー部材よりも奥側に位置する場合が多く、そのような状態では手差しトレイが開いていても気付き難い場合が多い。しかしながら、手差しトレイが復帰部材によって自動的に閉じ位置まで戻されるため、手差しトレイが開いたままの状態とするのを防止可能となる。
【手続補正６】
【補正対象書類名】明細書
【補正対象項目名】００１３
【補正方法】変更
【補正の内容】
【００１３】
このように構成する場合には、自動送り機構部を開き位置まで回動させ、その後自動送り機構部を閉じ位置まで回動させた場合に、手差しトレイは復帰部材によって閉じ位置へと自動的に戻される。それにより、手差しトレイが開いた状態のままとするのを防ぐことが可能となる。この場合においても、手差しトレイは自動送り機構部よりも奥側に位置する場合が多く、そのような状態では手差しトレイが開いていても気付き難い場合が多い。しかしながら、手差しトレイが復帰手段によって自動的に閉じ位置まで戻されるため、手差しトレイが開いたままの状態とするのを防止可能となる。
【手続補正７】
【補正対象書類名】明細書
【補正対象項目名】００１７
【補正方法】変更
【補正の内容】
【００１７】
このように構成する場合には、トレイ部材が中間位置に位置する状態において、さらにトレイ部材を開き位置に向けて回動させると、トレイ部材の当接部は、付勢手段による付勢力に抗しながら摺動面を摺動する。そして、トレイ部材を開き位置に向かって回動させると、いずれは当接部が摺動面から外れる。すると、当接部は摺動面を介して付勢手段からの付勢力を受けることがなくなる。それにより、トレイ部材は、開き位置に位置する状態を維持可能となる。すなわち、トレイ部材は、閉じ位置に位置する状態の他に、中間位置に位置する状態と、開き位置に位置する状態とを維持可能となる。
さらに、本発明の他の側面は、上述の発明において、前記復帰部材は、付勢手段を具備すると共に、前記回動部材を前記開き位置に位置させた場合には、前記トレイ部材が前記開き位置と前記閉じ位置の間の中間位置に位置する状態で、前記付勢手段により当該トレイ部材に対して前記閉じ位置へと戻す付勢力を与えると共に、前記トレイ部材は、前記復帰部材による付勢力に抗して前記トレイ部材を前記中間位置から前記開き位置に位置させた場合には、前記回動部材による前記トレイ部材への押し込みが解除された状態で前記トレイ部材が前記開き位置に位置するのを維持する、ことが好ましい。
このように構成する場合には、トレイ部材が中間位置に位置する状態においては、付勢手段によってトレイ部材には閉じ位置に戻す付勢力が与えられる。また、トレイ部材を中間位置から更に開き位置へと向けて回動させると、付勢手段が付勢力を与える状態が解除され、トレイ部材が開き位置に位置するのを維持可能となる。
また、本発明の他の側面は、上述の発明において、  前記トレイ部材は、 前記トレイ部材から挿入される媒体を載置可能に構成され、前記トレイ部材における、前記トレイ部材から挿入される媒体の挿入方向下流側端部と上流側端部の間に位置する回動軸を介して回動自在に設けられ、前記トレイ部材における搬送方向下流側端部に位置し、前記復帰手段と当接する当接部を有し、前記復帰部材は前記付勢手段による付勢力を前記当接部に与え、前記トレイ部材が前記中間位置から前記開き位置に向かって回動する際に、前記当接部が前記付勢手段から外れ、前記トレイ部材には前記付勢手段による付勢力が与えられずに当該トレイ部材が前記開き位置に位置するのを維持する、ことが好ましい。
このように構成する場合には、トレイ部材が中間位置に位置する状態において、さらにトレイ部材を開き位置に向けて回動させると、トレイ部材の当接部は、付勢手段による付勢力に抗しながら回転する。そして、トレイ部材を開き位置に向かって回動させると、いずれは当接部が付勢手段から外れる。すると、当接部は付勢手段からの付勢力を受けることがなくなる。それにより、トレイ部材は、開き位置に位置する状態を維持可能となる。すなわち、トレイ部材は、閉じ位置に位置する状態の他に、中間位置に位置する状態と、開き位置に位置する状態とを維持可能となる。